(57)【要約】【課題】無線タグの読み書きの際に不要な電波の放射を抑える無線タグ読取書き込み装置、この無線タグ読取書き込み装置の通信方法、及びこの通信方法に係る無線タグを提供する。【解決手段】端部が終端処理されたアンテナである終端アンテナを設け、この終端アンテナを通信する無線タグのアンテナと電磁結合させる。これにより、残存の電力及び余剰の電力がこの終端アンテナに移り、終端部にて熱エネルギーに変換される。実施形態として、例えば通信アンテナを、無線タグアンテナが形成する閉鎖平面又は開放平面の一部又は全部と非接触に対向させて、無線タグアンテナと電磁結合させ、終端アンテナを、無線タグアンテナが形成する閉鎖平面又は開放平面の一部又は全部と非接触に対向させて、無線タグアンテナと電磁結合させる。【選択図】図１
2008042891.tif 000002
【特許請求の範囲】
【請求項１】
通信する無線タグのアンテナである無線タグアンテナと電磁結合するように、非接触に配置されたアンテナである通信アンテナと；
前記無線タグアンテナと電磁結合するように非接触に配置され、端部が終端処理されたアンテナである終端アンテナと；
信号処理を行なうリーダライタと；
を含む、前記無線タグと情報を送受信する無線タグ読取書き込み装置。
【請求項２】
通信する無線タグのアンテナである無線タグアンテナが形成する閉鎖平面又は開放平面の一部又は全部と非接触に対向し、前記無線タグアンテナと電磁結合するように配置されたアンテナである通信アンテナと；
前記無線タグアンテナが形成する閉鎖平面又は開放平面の一部又は全部と非接触に対向し、前記無線タグアンテナと電磁結合するように配置され、端部が終端処理されたアンテナである終端アンテナと；
信号処理を行なうリーダライタと；
を含む、前記無線タグと情報を送受信する無線タグ読取書き込み装置。
【請求項３】
前記通信アンテナが閉鎖平面又は開放平面を形成することを特徴とする、請求項１又は請求項２に記載の無線タグ読取書き込み装置。
【請求項４】
前記終端アンテナが閉鎖平面又は開放平面を形成することを特徴とする、請求項１乃至３のいずれか１項に記載の無線タグ読取書き込み装置。
【請求項５】
前記通信アンテナと前記終端アンテナとが非接触に２層に対向して配置されることを特徴とする、請求項１乃至４のいずれか１項に記載の無線タグ読取書き込み装置。
【請求項６】
前記通信アンテナと前記終端アンテナのいずれか一方又は両方が、
前記無線タグアンテナが形成する閉鎖平面又は開放平面に対し上方又は下方に配置されることを特徴とする、請求項１乃至５のいずれか１項に記載の無線タグ読取書き込み装置。
【請求項７】
無線タグと通信する無線タグ読取書き込み装置の電磁波を送受信するアンテナである通信アンテナを、通信する無線タグのアンテナである無線タグアンテナと電磁結合させ；
端部が終端処理されたアンテナである終端アンテナを、前記無線タグアンテナと電磁結合させ；
無線タグ読取書き込み装置が、前記無線タグと情報を送受信する；
ことを特徴とする、無線タグ通信方法。
【請求項８】
前記通信アンテナを、前記無線タグアンテナが形成する閉鎖平面又は開放平面の一部又は全部と非接触に対向させて、前記無線タグアンテナと電磁結合させ；
前記終端アンテナを、前記無線タグアンテナが形成する閉鎖平面又は開放平面の一部又は全部と非接触に対向させて、前記無線タグアンテナと電磁結合させる；
ことを特徴とする請求項７に記載の無線タグ通信方法。
【請求項９】
前記通信アンテナを、前記無線タグアンテナが形成する閉鎖平面又は開放平面の一部又は全部と非接触に対向させて、前記無線タグアンテナと電磁結合させ；
前記終端アンテナを、前記無線タグアンテナが形成する閉鎖平面又は開放平面の一部又は全部と非接触に２層に対向させて、前記無線タグアンテナと電磁結合させる；
ことを特徴とする請求項７又は請求項８に記載の無線タグ通信方法。
【請求項１０】
通信する無線タグのアンテナである無線タグアンテナが形成する閉鎖平面又は開放平面の一部又は全部と非接触に対向し、前記無線タグアンテナと電磁結合するように配置されたアンテナである通信アンテナと；
前記無線タグアンテナが形成する閉鎖平面又は開放平面の一部又は全部と非接触に対向し、前記無線タグアンテナと電磁結合するように配置され、端部が終端処理されたアンテナである終端アンテナと；
信号処理を行なうリーダライタと；
を含む、無線タグ読取書き込み装置と通信を行なう無線タグであって、
前記無線タグアンテナが、無線タグ内の残存の電力及び余剰の電力を前記終端アンテナに移すことを特徴とする無線タグ。
【発明の詳細な説明】
【技術分野】
【０００１】
本発明は、無線タグと信号を送受信する無線タグ読取書き込み装置、及びこの無線タグ読取書き込み装置の通信方法、及びこの通信方法を用いる無線タグに係り、特に通信の際に無線タグから放射される電波を低減させる無線タグ読取書き込み装置及びこの無線タグ読取書き込み装置の通信方法及びこの通信方法に係る無線タグに関する。
【背景技術】
【０００２】
従来の無線タグの通信は、無線タグのアンテナ全体と検査装置の無線タグ読取書き込み装置のアンテナを電磁結合させて行われてきた。しかし、通信の際に磁界が発生して電波が放射され、無線タグが密集した状態において通信すると、無線タグ読取書き込み装置が受信した電波が通信しようとしている無線タグから発生したものか、それに近接した無線タグから発生したものかの判別ができないという問題があった。この問題は通信可能距離が長い電波型アンテナを用いる場合において顕著に発生する。
【０００３】
これに関連する従来技術を示すものとして、例えば特開２００３−２６３６１１号公報（以下、特許文献１と呼ぶ。）があげられる。特許文献１にはリーダライタのアンテナコイルと無線タグのアンテナコイルを電磁結合させ、無線タグのアンテナの電磁結合によるインピーダンスの変化に応じて変化するインピーダンス信号をリーダライタが受信し、リーダライタが受信したこのインピーダンス信号から無線タグが読み書き可能な状態であるかを判定する技術が記載されている。
【特許文献１】特開２００３−２６３６１１号公報
【発明の開示】
【発明が解決しようとする課題】
【０００４】
しかし、特許文献１に記載のような従来技術においては無線タグから放射される電波についての配慮がなされておらず、密集状態ある無線タグのうち特定の無線タグを読み書きするという問題意識すらなかった。このため、従来技術においては無線タグの情報の読み書きにおける電波の漏れを低減させることができないという問題があった。
【０００５】
また、無線タグの製造工程における無線タグの検査においては、検査の際に検査対象の無線タグの周囲に電波の遮蔽版を設けるなどの対応を行っていたが、電波の漏れを効率的に遮蔽することは困難であり、作業効率もよくないという問題点があった。
【０００６】
本発明は上記のような問題点に鑑みてなされたものであり、無線タグの読み書きの際に不要な電波の放射を抑える無線タグ読取書き込み装置、この無線タグ読取書き込み装置の通信方法、及びこの通信方法に係る無線タグを提供することを目的とする。
【課題を解決するための手段】
【０００７】
この目的を達成するために本発明は、通信する無線タグのアンテナである無線タグアンテナと電磁結合するように、非接触に配置されたアンテナである通信アンテナと；無線タグアンテナと電磁結合するように非接触に配置され、端部が終端処理されたアンテナである終端アンテナと；信号処理を行なうリーダライタと；を含む、無線タグと情報を送受信する無線タグ読取書き込み装置を提供する。
【０００８】
また本発明は、無線タグと通信する無線タグ読取書き込み装置の電磁波を送受信するアンテナである通信アンテナを、通信する無線タグのアンテナである無線タグアンテナと電磁結合させ；端部が終端処理されたアンテナである終端アンテナを、前記無線タグアンテナと電磁結合させ；無線タグ読取書き込み装置が、無線タグと情報を送受信する；ことを特徴とする、無線タグ通信方法を提供する。
【０００９】
さらに本発明は、通信する無線タグのアンテナである無線タグアンテナが形成する閉鎖平面又は開放平面の一部又は全部と非接触に対向し、無線タグアンテナと電磁結合するように配置されたアンテナである通信アンテナと；無線タグアンテナが形成する閉鎖平面又は開放平面の一部又は全部と非接触に対向し、無線タグアンテナと電磁結合するように配置され、端部が終端処理されたアンテナである終端アンテナと；信号処理を行なうリーダライタと；を含む、無線タグ読取書き込み装置と通信を行なう無線タグであって、無線タグアンテナが、無線タグ内の残存の電力及び余剰の電力を前記終端アンテナに移すことを特徴とする無線タグを提供する。
【発明の効果】
【００１０】
本発明によれば、無線タグ内の残存の電力及び無線タグに印加された余剰の電力は電磁結合している終端アンテナに移り、終端において熱に変わる。このため、本実施形態の無線タグ読取書き込み装置及び無線タグ通信方法によれば、無線タグの読み書きの際に不要な電波の放射が抑えられると言う効果がある。
【発明を実施するための最良の形態】
【００１１】
以下、本発明の実施形態について図面を用いて説明する。なお、本発明において無線タグ読取書き込み装置は無線タグから情報を読み込む装置又は無線タグに情報を書き込む装置、又は情報の読み込みと書き込みを両方行う装置を含むものとする。また、無線タグは無線通信可能な記憶媒体を意味し、通常アンテナとＩＣチップを有する。無線タグはさらに計算機能を持っていてもよく、望ましくは携帯可能な大きさであるが、微小なものであってもよい。無線タグはＲＦＩＤ（Ｒａｄｉｏ  Ｆｒｅｑｕｅｎｃｙ  Ｉｄｅｎｔｉｆｉｃａｔｉｏｎ）と呼ばれることもある。
【００１２】
＜実施形態の概要＞
先ず、本実施形態の無線タグ読取書き込み装置のメカニズムの概要について説明する。本実施形態の無線タグ読取書き込み装置は、端部が終端処理されたアンテナである終端アンテナを設け、この終端アンテナを通信する無線タグのアンテナと電磁結合させる。
【００１３】
このように構成することにより、残存の電力及び余剰の電力がこの終端アンテナに移り、終端部にて熱エネルギーに変換される。
【００１４】
このメカニズムを実現するための実施形態が、以下に順次説明される。
【００１５】
次に、本実施形態の概要を説明する。図９は、本実施形態の無線タグ読取書き込み装置の構成の概要を示した図である。
【００１６】
無線タグ９１０は、記憶装置であるメモリ９１１と、メモリ９１１へのデータの読み書きを行う無線タグ制御部９１２と、受信した変調電磁波の整流と安定化を行うことにより電源を供給する電源生成部９１５と、無線タグ制御部９１２から送出されたデータを変調して無線タグアンテナ９１６に送出する変調部９１３と、受信した変調電磁波を復調して無線タグ制御部９１２へ送出する復調部９１４とを備える。
【００１７】
本実施形態の無線タグ読取書き込み装置９２０は、無線タグと電磁波により信号を送受信するためのアンテナである通信アンテナ９２１ａと、端部が終端処理された終端アンテナ９２１ｂと、信号処理を行なうリーダライタ９２０ａとを含む。
【００１８】
リーダライタ９２０ａは、無線タグ９１０との通信及び接続するハードウエアを制御するリーダライタ制御部９２６と、リーダライタ制御部９２６から送出されたデータを変調する変調部９２２と、変調された信号を増幅して通信アンテナ９２１ａに送出する送信アンプ９２３と、受信した変調電磁波を増幅する受信アンプ９２４と、受信した変調信号を復調する復調部９２５と、例えばパソコン等の上位装置に接続し、データの授受を行うインターフェース９３０と、を備える。またリーダライタ制御部９２６は、ＣＰＵ９２７及びデータを格納するＲＯＭ９２８及びＲＡＭ９２９を備える。
【００１９】
なお、通信アンテナ９２１ａと終端アンテナ９２１ｂは無線タグ読取書き込み装置９２０と一つの筐体に収納されて一体となった据え置き型又はハンディー型無線タグ読取書き込み装置であっても、無線タグ読取書き込み装置９２０と別の筐体に収納されていてもよい。
【００２０】
次に、本実施形態の無線タグ読取書き込み装置の概要を説明する。本実施形態の無線タグ読取書き込み装置は、通信する無線タグのアンテナである無線タグアンテナと電磁結合するように、非接触に配置されたアンテナである通信アンテナと；無線タグアンテナと電磁結合するように非接触に配置され、端部が終端処理されたアンテナである終端アンテナと；信号処理を行なうリーダライタと；を含む。
【００２１】
また、本実施形態の無線タグ通信方法は、無線タグと通信する無線タグ読取書き込み装置の電磁波を送受信するアンテナである通信アンテナを、通信する無線タグのアンテナである無線タグアンテナと電磁結合させ；端部が終端処理されたアンテナである終端アンテナを、無線タグアンテナと電磁結合させ；無線タグ読取書き込み装置が、無線タグと情報を送受信する、ことを特徴とする。
【００２２】
さらに、本発明の一実施形態の無線タグは、通信する無線タグのアンテナである無線タグアンテナが形成する閉鎖平面又は開放平面の一部又は全部と非接触に対向し、無線タグアンテナと電磁結合するように配置されたアンテナである通信アンテナと；無線タグアンテナが形成する閉鎖平面又は開放平面の一部又は全部と非接触に対向し、無線タグアンテナと電磁結合するように配置され、端部が終端処理されたアンテナである終端アンテナと；信号処理を行なうリーダライタと；を含む、無線タグ読取書き込み装置と通信を行なう無線タグであって、無線タグアンテナが、無線タグ内の残存の電力及び余剰の電力を前記終端アンテナに移すことを特徴とする。以下詳細に説明する。
【００２３】
＜実施形態１＞
以下、実施形態１として、無線タグ読取書き込み装置が終端アンテナを通信アンテナと別部材として備え、この終端アンテナを無線タグのアンテナに電磁結合させることにより残存の電力及び余剰の電力を終端アンテナに移して熱エネルギーに変換する例を説明する。
【００２４】
図１（ａ）は本発明の第１の実施形態の無線タグ読取書き込み装置の概要を表した図である。図１（ａ）においては、実施形態の無線タグ読取書き込み装置を側面から見た様子を表している。
【００２５】
図１（ａ）に示すように、本実施形態の無線タグ読取書き込み装置は、通信する無線タグ１０１のアンテナである無線タグアンテナ１０２が形成する閉鎖平面又は開放平面１０９の一部又は全部と非接触に対向し、無線タグアンテナ１０２と電磁結合するように配置されたアンテナである通信アンテナ１０３と；無線タグアンテナ１０２が形成する閉鎖平面又は開放平面１０９の一部又は全部と非接触に対向し、無線タグアンテナ１０２と電磁結合するように配置され、端部１０６が終端処理されたアンテナである終端アンテナ１０５と；信号処理を行なうリーダライタ１０４と；を含む。
【００２６】
通信アンテナ１０３は閉鎖平面又は開放平面を形成していてもよい。また、終端アンテナ１０５は閉鎖平面又は開放平面を形成していてもよい。
【００２７】
図１（ｂ）に通信タグアンテナ１０３が形成する開放平面１０７の例を示す。このように、通信タグアンテナ１０３が形成する開放平面とは、通信タグアンテナ１０３によって形成される開いた図形が属する平面を指す。開放平面は上述の意味で使用する。
【００２８】
なお、通信タグアンテナ１０３が閉鎖された図形を形成していてもよい。
【００２９】
図１（ｃ）に終端アンテナ１０５が形成する開放平面１０８の例を示す。終端アンテナ１０５が閉鎖された図形を形成していてもよい。
【００３０】
また、図１（ｄ）に検査する無線タグのアンテナ１０２が形成する閉鎖平面１０９の例を示す。このように、検査する無線タグのアンテナ１０２が形成する閉鎖平面とは、検査する無線タグのアンテナ１０２によって形成される閉じた図形が属する平面を指す。閉鎖平面は上述の意味で使用する。
【００３１】
なお、検査する無線タグ１０２のアンテナ１０２が開放された平面を形成していてもよい。
【００３２】
次に、本実施形態の無線タグ読取書き込み装置の配置例を説明する。図１（ａ）においては、通信アンテナ１０３と終端アンテナ１０５とは、いずれも通信する無線タグ１０１の下方に配置されている。さらに、次のような配置も可能である。
【００３３】
図２（ａ）に、通信アンテナ１０３と終端アンテナ１０５とが、いずれも通信する無線タグ１０１の上方に配置されている例を示す。図２（ｂ）に、通信アンテナ１０３が無線タグ１０１の上方に、終端アンテナ１０５が無線タグ１０１の下方に配置されている例を示す。図２（ｃ）に、通信アンテナ１０３が無線タグ１０１の下方に、終端アンテナ１０５が無線タグ１０１の上方に配置されている例を示す。
【００３４】
ここで、実施形態１の無線タグ読取書き込み装置が不要な電波の放射を抑えるメカニズムについて述べる。実施形態１の無線タグ検査方法は検査する無線タグのアンテナ１０２が形成する閉鎖平面又は開放平面の一部に、リーダライタ１０４に接続された通信タグアンテナ１０３が形成する閉鎖平面又は開放平面の一部を非接触に対向して配置させる。これとともに、通信タグアンテナを無線タグのアンテナに電磁結合させる。さらに、検査する無線タグのアンテナが形成する閉鎖平面又は開放平面の残部の一部又は全部に、端部を終端処理した終端アンテナが形成する閉鎖平面又は開放平面の一部を非接触に対向して配置させる。これとともに、終端アンテナを無線タグのアンテナに電磁結合させる。そして、無線タグ読取書き込み装置が通信する無線タグから情報を読み込み及び又は情報を書き込む。
【００３５】
リーダライタ１０４から通信タグアンテナに電流が流れると無線タグ１０１の無線タグアンテナ１０２と電磁結合が生じ、電力が無線タグアンテナ１０２に伝わり無線タグのＩＣチップが動作する。ＩＣチップからの信号は無線タグアンテナ１０２に伝わり、電磁結合している通信タグアンテナ１０３に伝わり、リーダライタ１０４に伝わる。
【００３６】
通信タグアンテナに印加された電力のうちほぼ５０％が無線タグを動作させるエネルギーとなり、印加された電力の残部は終端アンテナ１０５に電磁結合によって移動し、終端１０６において熱に変わる。通信タグアンテナに残存の電力及び余剰の電力が印加された場合にも、終端アンテナ１０５を通じて終端１０６において熱に変わる。
【００３７】
図３は本発明の第１の実施形態の無線タグ読取書き込み装置を上方からみた図であり、特に無線タグの製造工程における検査工程を表している。無線タグ２０１及び２０８は近接して検査工程に矢印の方向に移動してくる。符号２０２は無線タグ２０１のＩＣチップ２０３の周囲を周回するアンテナである。本図ではアンテナは折り返しダイポールアンテナを図示してあるが、アンテナの種類はどのようなものであっても本発明の効果は得られる。符号２０５は通信タグアンテナであり、リーダライタ２０４に接続している。符号２０６は終端アンテナであり、その端部に終端２０７を有する。
【００３８】
ここで、リーダライタ２０４により通信タグアンテナ２０５に印加された電力は電磁結合している無線タグのアンテナ２０２に移動し、無線タグを動作させる。無線タグ内の残存の電力及び無線タグに印加された余剰の電力は電磁結合している終端アンテナ２０６に移り、終端２０７において熱に変わる。
【００３９】
以上のように構成したため、本実施形態の無線タグ読取書き込み装置及び無線タグ通信方法によれば、空間への電波の放射が抑えられ、リーダライタは現在検査している無線タグ２０１からの信号だけを受信することができる。
【００４０】
＜実施形態２＞
以下、実施形態２として、無線タグ読取書き込み装置が終端アンテナを通信アンテナと電気的に接続した一体の部材として備え、この終端アンテナを無線タグのアンテナに電磁結合させることにより残存の電力及び余剰の電力を終端アンテナに移して熱エネルギーに変換する例を説明する。
【００４１】
図４（ａ）は本発明の第２の実施形態の無線タグ読取書き込み装置の概要を表した図である。図４（ａ）においては、実施形態の無線タグ読取書き込み装置を側面から見た様子を表している。
【００４２】
本実施形態は通信タグアンテナ３０３と終端アンテナ３０５とが電気的に接続していることを特徴とし、他の構成及びメカニズムは実施形態１と同様である。符号３０１は無線タグであり、アンテナ３０２を有する。リーダライタ３０４は通信タグアンテナ３０３に接続している。終端アンテナ３０５の端部は終端３０６を有する。なお、図４（ａ）においては通信タグアンテナ３０３と終端アンテナ３０５は無線タグ３０１の下方に配置されているが、図４（ｂ）に示すように無線タグの上方に配置されてもよい。
【００４３】
図５は本発明の第２の実施形態の無線タグ読取書き込み装置を上方からみた図であり、例えば無線タグの製造工程における検査工程を表している。無線タグ４０１は無線タグアンテナ４０２とＩＣチップ４０３を有する。通信タグアンテナ４０５はＩＣチップ４０３を周回するように無線タグと非接触に配置され、リーダライタ４０４に接続している。終端アンテナ４０６は通信タグアンテナ４０５に電気的に接続され、無線タグ４０１と非接触に無線タグの一部と積層するように配置され、端部に終端処理された終端４０７を有する。
【００４４】
以上のように構成したため、本実施形態の無線タグ読取書き込み装置及び無線タグ通信方法によれば、空間への電波の放射が抑えられる。検査工程においては、無線タグ４０８が検査中の無線タグ４０１に近接して矢印の方向に搬送されてくるが、リーダライタは現在検査している無線タグ４０１からの信号だけを受信することができる。
【００４５】
＜実施形態３＞
以下、実施形態３として、無線タグ読取書き込み装置が終端アンテナを通信アンテナと別部材として備え、終端アンテナを通信アンテナと非接触に２層に対向して配置し、さらにこの通信アンテナと終端アンテナとを無線タグのアンテナに電磁結合させることにより残存の電力及び余剰の電力を終端アンテナに移して熱エネルギーに変換する例を説明する。
【００４６】
図６（ａ）は本発明の第３の実施形態の無線タグ読取書き込み装置の概要を表した図である。図６（ａ）においては、実施形態の無線タグ読取書き込み装置を側面から見た様子を表している。
【００４７】
実施形態３の無線タグ読取書き込み装置においては、通信タグアンテナ５０３が形成する閉鎖平面又は開放平面と終端アンテナ５０５が形成する閉鎖平面又は開放平面とを非接触に２層に対向して配置される。
【００４８】
なお、図６（ａ）においては通信タグアンテナ５０３と終端アンテナ５０５は無線タグ５０１の下方に配置されているが、図６（ｂ）に示すように無線タグの上方に配置されてもよい。
【００４９】
検査する無線タグ５０１のアンテナ５０２が形成する閉鎖平面又は開放平面の一部又は全部に、リーダライタ５０４に接続された通信タグアンテナ５０３が形成する閉鎖平面又は開放平面の一部又は全部を非接触に対向して配置されるとともに、通信タグアンテナ５０３を無線タグのアンテナ５０２に電磁結合される。
【００５０】
無線タグのアンテナ５０２が形成する閉鎖平面又は開放平面の一部又は全部に、端部が終端した終端アンテナ５０５が形成する閉鎖平面又は開放平面の一部を非接触に対向して配置されるとともに、終端アンテナ５０５を無線タグのアンテナに電磁結合される。他の構成及びメカニズムは実施形態１と同様である。
【００５１】
無線タグ５０１はアンテナ５０２を有する。通信タグアンテナ５０３はリーダライタ５０４に接続されている。終端アンテナ５０５の端部は終端５０６を有する。なお、図５においては通信タグアンテナ５０３と終端アンテナ５０５はいずれも無線タグ５０１の下方に位置しているが、いずれか一方又は両方が無線タグの上方に位置していてもよい。
【００５２】
図７は本発明の第３の実施形態の無線タグ読取書き込み装置の斜視図である。図７においては見やすくするために無線タグ６０１と通信タグアンテナ６０２と終端アンテナ６０４の間隔を大きく取ってあるが、間隔はもっと狭いほうが望ましい。通信タグアンテナ６０２はリーダライタ６０３に接続されており、終端アンテナ６０４の端部は終端６０５を有する。
【００５３】
図８は、検査する無線タグ６０１がシート６０１ａ上に配列された場合の検査方法を示した図である。無線タグ読取書き込み装置６０６は、矢印Ｘの方向に移動して順次無線タグ６０１と通信することにより無線タグ６０１を検査する。横方向の１列を検査し終わると、シート６０１ａは矢印Ｙの方向に移動し、次の列を検査する。このように、無線タグ読取書き込み装置６０６を移動させることにより、より効率よく無線タグを検査することが可能となる。
【００５４】
＜本実施形態の効果＞
本実施形態においては通信タグアンテナ６０２が形成する閉鎖平面又は開放平面と終端アンテナ６０４が形成する閉鎖平面又は開放平面とを非接触に２層に対向して配置され、それぞれ通信する無線タグのアンテナと電磁結合させているため、空間に放射される電波が終端アンテナの終端６０５によりほとんどすべて熱に変えられる。
【００５５】
以上のように構成したため、本実施形態の無線タグ検査方法によれば、空間への電波の放射がほとんど抑えられ、リーダライタは現在検査している無線タグ６０１からの信号だけを受信することができる。
【００５６】
＜本発明の具体化における可能性＞
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５７】
【図１】第１の実施形態の無線タグ読取書き込み装置の概要を表した図である。
【図２】通信アンテナと終端アンテナの位置関係を示した図である。
【図３】実施形態１の無線タグ読取書き込み装置を上方からみた図である。
【図４】第２の実施形態の無線タグ読取書き込み装置の概要を表した図である。
【図５】第２の実施形態の無線タグ読取書き込み装置を上方からみた図である。
【図６】第３の実施形態の無線タグ読取書き込み装置の概要を表した図である。
【図７】第３の実施形態の無線タグ読取書き込み装置の斜視図である。
【図８】検査する無線タグ６０１がシート６０１ａ上に配列された場合の検査方法を示した図である。
【図９】本実施形態の無線タグ読取書き込み装置の構成の概要を示した図である。
【符号の説明】
【００５８】
１０１：無線タグ、
１０２：無線タグアンテナ、
１０３：通信アンテナ、
１０４：リーダライタ、
１０５：終端アンテナ
２０５：通信アンテナ、
２０６：終端アンテナ、
４０５：通信アンテナ、
４０６：終端アンテナ、
６０２：通信アンテナ、
６０４：終端アンテナ。
【図１】
2008042891.tif 000003
【図２】
2008042891.tif 000004
【図３】
2008042891.tif 000005
【図４】
2008042891.tif 000006
【図５】
2008042891.tif 000007
【図６】
2008042891.tif 000008
【図７】
2008042891.tif 000009
【図８】
2008042891.tif 000010
【図９】
2008042891.tif 000011